(57)【要約】【課題】  電子機器の機種や形状により卓上ホルダを新規に制作する必要があった。電子機器の形状に関わりなく、電子機器を保持できる卓上ホルダを提供する。【解決手段】  本発明は、電子機器が装着されるポケット１ａに電子機器２が挿入された状態で、電子機器２の左右両側面に形成された溝状のくぼみであるスリット２ｂに対向するポケット１ａの側面に配設されるものであって、スリット２ｂの形状に略適合する突起部３ｂとスリット２ｂに嵌合した状態で電子機器２を係合するつめ部３ａを有する係合部３とを設けたので、卓上ホルダに電子機器を載置した状態で、電子機器をがたつきなく保持でき、電子機器の背面を保持しなくてもホルダ背面側への転倒を防止できる。【選択図】  図１
2008193473.tif 000002
【特許請求の範囲】
【請求項１】
充電可能な電池により駆動される電子機器を保持する卓上ホルダにおいて、
前記電子機器が充電される際に前記電子機器が挿入される電子機器装着用凹部と、
前記電子機器装着用凹部に前記電子機器が挿入された状態で、前記電子機器の下面側に対向する前記電子機器装着用凹部の側面から前記電子機器側に突出し、前記電子機器に設けられた充電端子と接触することによって前記充電端子に給電する給電端子と、
前記電子機器装着用凹部に前記電子機器が挿入された状態で、前記電子機器の左右両側面に形成された溝状のくぼみであるスリットに対向する前記電子機器装着用凹部の側面から前記電子機器側に突出するように配設されるものであって、前記スリットの形状に略適合する突起部と前記スリットに嵌合した状態で前記電子機器を係合するつめ部を有する係合部とを設けたことを特徴とする卓上ホルダ。
【請求項２】
充電可能な電池により駆動される電子機器を保持する卓上ホルダにおいて、
前記電子機器が充電される際に前記電子機器が挿入される電子機器装着用凹部と、
前記電子機器装着用凹部に前記電子機器が挿入された状態で、前記電子機器の下面側に対向する前記電子機器装着用凹部の側面から前記電子機器側に突出し、前記電子機器に設けられた充電端子と接触することによって前記充電端子に給電する給電端子と、
前記電子機器装着用凹部に前記電子機器が挿入された状態で、前記電子機器の左右両側面に少なくとも２ヶ所形成された凹部に対向する前記電子機器装着用凹部の側面から前記電子機器側に突出するように配設されるものであって、前記凹部に対応する位置に同じ個数設けられて前記凹部に係合する係合部とを設けたことを特徴とする卓上ホルダ。
【発明の詳細な説明】
【技術分野】
【０００１】
この発明は、携帯電話機を充電するための周辺機器である卓上ホルダに関するものである。
【背景技術】
【０００２】
特許文献１には、折畳式携帯電話機を折り畳んだ状態で、卓上置台のポケットに載置すると、携帯電話機の充電端子と卓上置台のポケットの下部から突出する充電ばね端子が接触して充電状態となる点が記載されている。
【０００３】
【特許文献１】特開２００２−３３８１４号公報
【発明の開示】
【発明が解決しようとする課題】
【０００４】
ところで、特許文献１に記載の卓上ホルダは、載置される携帯電話機の底面と背面を保持するような構造が採用されている。つまり、携帯電話機のデザインが変更されると、卓上ホルダの構造も変更を迫られるという問題がある。卓上ホルダを新たに製作するための金型のコストや材料費を削減するためには、携帯電話機のデザインや機種に関わらず、多くの機種に適用できる卓上ホルダが好ましい。
【課題を解決するための手段】
【０００５】
本発明は、充電可能な電池により駆動される電子機器を保持する卓上ホルダにおいて、電子機器が充電される際に電子機器が挿入される電子機器装着用凹部と、電子機器装着用凹部に電子機器が挿入された状態で、電子機器の下面側に対向する電子機器装着用凹部の側面から電子機器側に突出し、電子機器に設けられた充電端子と接触することによって充電端子に給電する給電端子と、電子機器装着用凹部に電子機器が挿入された状態で、電子機器の左右両側面に形成された溝状のくぼみであるスリットに対向する電子機器装着用凹部の側面から電子機器側に突出するように配設されるものであって、スリットの形状に略適合する突起部とスリットに嵌合した状態で電子機器を係合するつめ部を有する係合部とを設けたものである。
【０００６】
本発明は、充電可能な電池により駆動される電子機器を保持する卓上ホルダにおいて、電子機器が充電される際に電子機器が挿入される電子機器装着用凹部と、電子機器装着用凹部に電子機器が挿入された状態で、電子機器の下面側に対向する電子機器装着用凹部の側面から電子機器側に突出し、電子機器に設けられた充電端子と接触することによって充電端子に給電する給電端子と、電子機器装着用凹部に電子機器が挿入された状態で、電子機器の左右両側面に少なくとも２ヶ所形成された凹部に対向する電子機器装着用凹部の側面から電子機器側に突出するように配設されるものであって、凹部に対応する位置に同じ個数設けられて凹部に係合する係合部とを設けたものである。
【発明の効果】
【０００７】
本発明は、充電可能な電池により駆動される電子機器を保持する卓上ホルダにおいて、電子機器が充電される際に電子機器が挿入される電子機器装着用凹部と、電子機器装着用凹部に電子機器が挿入された状態で、電子機器の下面側に対向する電子機器装着用凹部の側面から電子機器側に突出し、電子機器に設けられた充電端子と接触することによって充電端子に給電する給電端子と、電子機器装着用凹部に電子機器が挿入された状態で、電子機器の左右両側面に形成された溝状のくぼみであるスリットに対向する電子機器装着用凹部の側面から電子機器側に突出するように配設されるものであって、スリットの形状に略適合する突起部とスリットに嵌合した状態で電子機器を係合するつめ部を有する係合部とを設けたので、卓上ホルダに電子機器を載置した状態で、電子機器をがたつきなく保持できるので、背面側への転倒を防止できる。
【０００８】
本発明は、充電可能な電池により駆動される電子機器を保持する卓上ホルダにおいて、電子機器が充電される際に電子機器が挿入される電子機器装着用凹部と、電子機器装着用凹部に電子機器が挿入された状態で、電子機器の下面側に対向する電子機器装着用凹部の側面から電子機器側に突出し、電子機器に設けられた充電端子と接触することによって充電端子に給電する給電端子と、電子機器装着用凹部に電子機器が挿入された状態で、電子機器の左右両側面に少なくとも２ヶ所形成された凹部に対向する電子機器装着用凹部の側面から電子機器側に突出するように配設されるものであって、凹部に対応する位置に同じ個数設けられて凹部に係合する係合部とを設けたので、卓上ホルダに電子機器を載置した状態で、電子機器をがたつきなく保持できるので、背面側への転倒を防止できる。
【発明を実施するための最良の形態】
【０００９】
実施の形態１．
以下、この発明の実施の形態を図で説明する。図１は本発明の実施の形態１に係る卓上ホルダの外観を示す斜視図である。図２は、本発明の実施の形態１に係る卓上ホルダ１の断面を示す断面図である。図３は、一般的な卓上ホルダの外観及び断面を示す斜視図及び断面図である。図１（ａ）において、端末本体２は、充電可能な電池により駆動される携帯電話機などの電子機器である。卓上ホルダ１は、端末本体２が充電される際に、端末本体が挿入される電子機器装着用凹部であるポケット部１ａが形成されている。ポケット部１ａの両側面に可動式のロックつめ３が組み込まれている。また、ポケット部１ａの底面には端末本体２に充電電流を供給するための可動式の給電端子１ｂが組み込まれている。図１（ｂ）はロックつめ３を拡大して示す拡大図であり、図１（ｃ）は、ロックつめ３が端末本体２に嵌合する様子を示す説明図である。
【００１０】
卓上ホルダ１に端末本体２が挿入された状態で、端末本体２の下面側になる底面には、図２（ｂ）に示されるように充電端子２ｄが設けられている。給電端子１ｂは、端末本体２の底面と対向する卓上ホルダ１のポケット１ａの側面より、端末本体２側に突出するように設けられている。また、図１（ｃ）に示されるように端末本体２の左右両側面には、長方形の溝状のくぼみであるスリット２ｂが設けられている。スリット２ｂの内壁面は側面２ｃであり、スリット２ｂの内部には凹み２ａが設けられている。卓上ホルダ１に端末本体２が挿入された状態で、スリット２ｂに対向する卓上ホルダ１のポケット１ａの側面には、端末本体２側に突出するように係合部としてロックつめ３が配設されている。ロックつめ３には、スリット２ｂの形状に適合するような形状の凸部である突起３ｂとつめ部３ａが形成されている。端末本体２が卓上ホルダ１に載置されると、ロックつめ３の突起３ｂがスリット２ｂに嵌合するとともに、つめ部３ａがスリット２ｂ内部の凹み２ａと係合して、端末本体２は卓上ホルダ１に直立した状態で保持される。
【００１１】
次に動作について説明する。ここでは端末本体２を卓上ホルダ１に装着する場合の説明とする。図１及び図２において、操作者は端末本体２を卓上ホルダ１に装着する際、卓上ホルダ１の両側面に設けられているロックつめ３のつめ部３ａに、端末本体側面の凹み２ａを嵌合させる。卓上ホルダのロックつめ３のつめ部３ａと端末本体の凹み２ａを嵌合させると、端末本体２の底面に配置された充電端子２ｄが、卓上ホルダ１の給電端子１ｂに接触し、充電可能となる。端末本体２を卓上ホルダ１に装着すると、つめ部３ａからの保持力により端末本体２はホールドされるので、端末本体２が浮くことなく充電状態は維持される。更にロックつめ３を構成する突起３ｂが、端末本体２の両側面に設けられたスリット２ｂに嵌ることで、つめ部３ａを中心とするガタツキが防止される。また、ロックつめ３の突起３ｂの側面３ｃが、端末本体２のスリット２ｂの側面２ｃに嵌ることで、端末本体２が卓上ホルダ１の背面方向に加わる力を受け止めるので、端末本体２が卓上ホルダ１の背面方向に転倒するのを防止する機能を有する。
【００１２】
図３（ａ）は、一般的な卓上ホルダ４の外観を示す斜視図である。図３（ａ）において、端末本体５を装着させるポケット部４ａの背面には、端末本体５が卓上ホルダ４の背面方向に倒れることを防止するための背面アタッチメント６が組み込まれている。卓上ホルダ４の両側面には可動式のロックつめ７が組み込まれている。また、ポケット部４ａの底面には、端末本体５に充電電流を供給するための可動式の充電端子４ｂが組み込まれている。
【００１３】
次に図３を参照して動作について説明する。ここでは端末本体５を卓上ホルダ４に装着する場合の説明とする。図３において、操作者は、端末本体５を卓上ホルダ４の背面アタッチメント６に沿わせながら入れ、卓上ホルダ４の両側面に設けられているロックつめ７のつめ部７ａに、端末本体の凹み５ａを嵌合させる。ロックつめ７のつめ部７ａに端末本体５の凹み５ａを嵌合させると、端末本体５の底面に配置された充電端子５ｂが充電端子４ｂに接触し、充電可能となる。端末本体５を卓上ホルダ１に装着すると、つめ部７ａからの保持力により端末本体５はホールドされるので、端末本体５が浮くことなく充電状態は維持される。端末本体５が卓上ホルダ４の背面方向に倒れる力は、背面アタッチメント６の本体あてリブ６ａが受け止めるので、端末本体５が卓上ホルダ４の背面方向への転倒防止が図られる。また、背面アタッチメント６の側面には、端末本体５の外形に合わせた形状の横壁６ｂが設けられている。この横壁６ｂによりガタツキは防止される。
【００１４】
図１に示す、本発明にかかる卓上ホルダは、卓上ホルダポケット内のロックつめ３に突起３ｂを設けるとともに、端末本体２にスリット２ｂを設け、互いに嵌合させることにより、端末本体２が卓上ホルダ２の背面方向への転倒を防止する。また、つめ部３ａを中心とするガタツキも抑制される。したがって、卓上ホルダに電子機器を載置した状態で、電子機器をがたつきなく保持できるとともに、背面側への転倒を防止できる。図３に示す一般的な卓上ホルダは、卓上ホルダ４の背面アタッチメント６により端末本体を支えていたが、この背面アタッチメントは、端末本体の形状に応じて機種ごとに個別に製作する必要があった。この点、図１に示す本発明に係る卓上ホルダは、電子機器を卓上ホルダに直立した状態で保持するのに背面アタッチメント６は不要である。背面アタッチメントをなくすことにより卓上ホルダ構造の簡素化につながる効果がある。
【００１５】
また、上記説明では表示部と操作部がひとつの筐体に設けられた携帯電話機の場合について説明したが、表示部が設けられた上筐体と操作部が設けられた下筐体が折畳み可能に連結された二つ折れ携帯電話機、上筐体と下筐体がスライド可能に設けられたスライド型携帯電話機、上筐体と下筐体が回転するリボルバー方携帯電話機に適用することも可能である。この場合、本体キー側（操作側）の下筐体の側面をロックつめで保持することにより、本体表示面側が開、閉何れの状態でも卓上ホルダに装着可能となる。
【００１６】
実施の形態２．
図４は、本発明の実施の形態２に係る卓上ホルダ８の外観及び断面を示す外観斜視図及び断面図である。図４において、図１と同一の符号は同一または相当部分を示すので説明は省略する。端末本体１０が卓上ホルダ８に挿入された状態で、端末本体１０の左右両側面には、少なくとも２箇所に凹部である凹み１０ａ、１０ｂが形成されている。端末本体１０と対向する卓上ホルダ８の側面には、端末本体１０の凹み１０ａ、１０ｂに対応する位置に、凹み１０ａ、１０ｂと係合するつめ部９ａ、９ｂを有するロックつめ９が設けられている。端末本体１０を卓上ホルダ８に載置させる場合、端末本体１０の凹み１０ａ、１０ｂにつめ部９ａ、９ｂをそれぞれ嵌合させることにより、つめ部からの保持力により端末本体１０が卓上ホルダ８にホールドされるので、端末本体１０が卓上ホルダ８に対して浮くことなく充電状態を維持される。また、端末本体１０の長手方向に沿って形成された二つのつめ部９ａ、９ｂにより、つめ部９ａないし９ｂのいずれかを中心とする回転力によるガタツキが発生することが防止される。さらに、ロックつめ９の側面と端末本体１０の凹みの側面が嵌ることで、本体が後方へ倒れる方向に加わる力を受け止め、転倒防止機能を有する。卓上ホルダに電子機器を載置した状態で、電子機器をがたつきなく保持できるので、背面側への転倒を防止できる。その結果、背面アタッチメントなしでも卓上ホルダの機能を損なうことなく本体を装着することが可能であり、本体内部部品の実装状況に合わせて凹みを設けることが出来る効果と卓上ホルダ構造の簡素化につながる効果がある。
【図面の簡単な説明】
【００１７】
【図１】本発明の実施の形態１に係る卓上ホルダの外観を示す斜視図である。
【図２】本発明の実施の形態１に係る卓上ホルダ１の断面を示す断面図である。
【図３】一般的な卓上ホルダの外観及び断面を示す斜視図及び断面図である。
【図４】本発明の実施の形態２に係る卓上ホルダ８の外観及び断面を示す外観斜視図及び断面図である。
【符号の説明】
【００１８】
１  卓上ホルダ、１ａ  ポケット、１ｂ  給電端子、２  端末本体、２ａ  凹み、
２ｂ  スリット、２ｃ  スリット側面、２ｄ  充電端子、３  ロックつめ、
３ａ  つめ部、３ｂ  突起、３ｃ  突起側面、４  卓上ホルダ、４ａ  ポケット、
４ｂ  充電端子、５  端末本体、５ａ  凹み、５ｂ  充電端子、
６  背面アタッチメント、６ａ  本体当てリブ、６ｂ  横壁、７    ロックつめ、
７ａ  つめ部、８  卓上ホルダ、９  ロックつめ、９ａ  つめ部、９ｂ  つめ部、
１０  端末本体、１０ａ  凹み、１０ｂ  凹み
【図１】
2008193473.tif 000003
【図２】
2008193473.tif 000004
【図３】
2008193473.tif 000005
【図４】
2008193473.tif 000006